(57)【要約】エレベータの呼び登録装置は、複数の行先階のうちの任意の行先階にかごを移動させる登録を利用者に指定させるための操作画面と、操作画面に対する操作により指定されてエレベータ制御装置に登録された行先階を表示するための登録階画面とを選択的に切り替えて表示する。【特許請求の範囲】
【請求項１】
複数の行先階のうちの任意の行先階にかごを移動させる登録を利用者に指定させるための操作画面、及び、上記操作画面に対する操作により指定されてエレベータ制御装置に登録された行先階を表示するための登録階画面を表示する表示部と、
上記操作画面と上記登録階画面とのいずれか一方を選択的に切り替えて上記表示部に表示させる処理部と
を備えたエレベータの呼び登録装置。
【請求項２】
上記操作画面は、テンキー操作により上記行先階が指定可能になっている請求項１記載のエレベータの呼び登録装置。
【請求項３】
上記処理部は、上記操作画面及び上記登録階画面のいずれか一方を上記表示部に表示させる際、上記利用者に対する案内メッセージも上記表示部に表示させる請求項１記載のエレベータの呼び登録装置。
【発明の詳細な説明】
【技術分野】  本発明は、エレベータのかごを行先階に登録させる制御を行うエレベータの呼び登録装置に関する。
【背景技術】  従来の表示入力切り替えシステムにおいては、例えば特開２００１−３０２１２８号公報に記載されているように、エレベータの利用客数に応じて、所定の行先階にかごを移動させる登録を要求するための行先階画面が表示されている。
しかしながら、行先階画面では、所定の行先階を指定するためのテンキー、及び、テンキー操作により登録された行先階、即ち、登録階の一覧表が同時に表示されるので、一覧表に含まれる登録階を表示するための画面スペースの配分により、登録階の表示総数が制限されている。
そこで、本発明は、上述のような不都合を解決するためになされたもので、その目的は、登録階の表示総数をより多くすることができるエレベータの呼び登録装置を得るものである。
【発明の開示】
本発明に係るエレベータの呼び登録装置は、表示部及び処理部を有する。表示部は、複数の行先階のうちの任意の行先階にかごを移動させる登録を利用者に指定させるための操作画面を表示する。また、表示部は、操作画面に対する操作により指定されてエレベータ制御装置に登録された行先階を表示するための登録階画面を表示する。そして、処理部は、操作画面と登録階画面とのいずれか一方を選択的に切り替えて表示部に表示させる。
【図面の簡単な説明】  図１は、本発明の実施の形態に係るエレベータシステムを示す構成図、
図２は、図１の呼び登録装置の構成を示すブロック図、
図３は、図１の呼び登録装置の動作状態を示す説明図、
図４は、図１のディスプレイ装置の登録階画面を示す説明図、
図５は、図１のディスプレイ装置の操作画面を示す説明図である
【発明を実施するための最良の形態】  図１は、本発明の実施の形態に係るエレベータシステムを示す構成図である。
図１において、複数の呼び登録装置１，２は、伝送線３を介して、エレベータ制御装置４に接続されている。各呼び登録装置１は、各階の乗り場に設けられ、呼び登録装置２は、かご内に設けられている。
そして、これら各呼び登録装置１，２は、乗り場の待ち客等からの要求に応じ、所定の行先階にかごを移動させる登録をエレベータ制御装置４に対して行うようになっている。
エレベータ制御装置４は、各呼び登録装置１，２により指定された行先階にかごを移動させる制御を行っている。
図２は、呼び登録装置１の構成を示すブロック図である。なお、呼び登録装置２も呼び登録装置１と同様の構成である。
図２において、呼び登録装置１は、通信部５、ディスプレイ装置（表示部）６、記憶部７、および、マイコン（処理部）８を有している。
通信部５は、例えば入出力インターフェースである。この通信部５により、呼び登録装置１とエレベータ制御装置４との間のデータの受渡しが実現される。
ディスプレイ装置６には、タッチパネル装置９が搭載されている。ディスプレイ装置６およびタッチパネル装置９には、情報を制御する制御回路が組み込まれている。タッチパネル装置９は、タッチパネル上の座標を制御回路が検出することにより検知箇所の検出を行っている。
記憶部７は、例えば、メモリ、ハードディスクである。この記憶部７には、登録階画面データｄ１、操作画面データｄ２、および、案内メッセージｄ３が格納されている。
登録階画面データｄ１は、エレベータ制御装置４に登録されている行先階（以下、「登録階」という。）を表示するためのデータである。この登録階画面データｄ１には、エレベータ制御装置４における最新のかごの運転状況が反映された登録階が設定されている。
操作画面データｄ２は、複数の行先階のうちの任意の行先階にかごを移動させる登録を利用者に指定させるためのデータである。ここでは、テンキーＳ１の操作により行先階が指定可能なように操作画面データｄ２が設定されている。
案内メッセージｄ３は、利用者に対するメッセージである。ここでは、「画面に触れてください」、「行先階を入力してくたさい」等のメッセージが案内メッセージｄ３に含まれている。
マイコン８は、例えばＣＰＵ等で構成されている。マイコン８には、切替部８ａ、および登録部８ｂが含まれている。これら各部８ａ，８ｂの機能は、次のとおりである。切替部８ａは、操作画面データｄ１と登録画面データｄ２とのいずれか一方を選択的に切り替えてディスプレイ装置６に表示させる。登録部９ｂは、エレベータ制御装置４に対して所定の行先階の登録を行う。なお、マイコン８は、記憶部７のプログラムに従って動作する。
図３は、呼び登録装置１の動作状態を示す説明図である。ここでは、乗り場の待ち客が３階の呼び登録装置１を利用する場合を例にして説明する。なお、他の呼び登録装置１，２についてもこれと同様である。
まず、呼び登録装置１の切替部８ａは、記憶部７の登録階画面データｄ１を参照して、登録画面Ｓ２をディスプレイ装置６に表示する（１０１）。
ディスプレイ装置６上の登録画面Ｓ２を図４に示す。登録階画面Ｓ２には、全階一覧（地下４階から６４階までの階）が表示されている。そして、登録階画面Ｓ２の全階一覧には、表示色の異なる階、即ち、登録階（例えば２階等）が表示されている。図４中、斜線で示されている階は、登録階を表している。そして、登録階が、斜線で示されていない階、即ち、未登録階（例えば１階等）の表示色（例えば白色）とは異なる赤色の表示色で表示されている。
また、登録画面Ｓ２には、「画面に触れてください」という案内メッセージｄ３が利用者に対して表示されている。なお、この案内メッセージｄ３は、予め設定された時間間隔で登録画面Ｓ１に表示されるようになっている。
そして、利用者が登録階画面Ｓ２に触れると、タッチパネル装置９が登録階画面Ｓ２に対する操作を検出する。すると、切替部８ａは、記憶部７の操作画面データｄ２を参照して、ディスプレイ装置６の登録階画面Ｓ２を操作画面Ｓ３に切り替える（１０２）。
ディスプレイ装置６上の操作画面Ｓ３を図５に示す。操作画面Ｓ３には、「行先階を入力してください」という案内メッセージｄ３が表示されている。また、操作画面Ｓ３には、テンキーＳ１が表示されている。
そして、利用者が、設定時間（例えば５秒）内にテンキーＳ１による操作により所定の行先階の指定を行わなかった場合、切替部８ａは、記憶部７を参照して、ディスプレイ装置６の操作画面Ｓ３を登録階画面Ｓ２に切り替える（１０１）。
これに対して、設定時間内に利用者がテンキーＳ１の操作により所望の行先階（例えば、３０階）を指定すると、登録部８ｂは、テンキーＳ１による操作により指定された行先階にかごを移動させる登録をエレベータ制御装置４に対して行う（１０３）。
すると、エレベータ制御装置４では、指定の行先階にかごを移動させる登録の可否が判断される。
そして、エレベータ制御装置４において、テンキーＳ１の誤操作等の原因により行先階にかごを移動させる登録が行われなかった場合、登録部８ｂは、エレベータ制御装置４から、登録エラー情報を伝送線３を介して受信する。すると、切替部８ａは、登録エラー情報を案内メッセージｄ３としてディスプレイ装置６に表示する（１０４）。これにより、利用者に対して再入力を促すこととなる。
これに対して、エレベータ制御装置４において、指定の行先階にかごを移動させる登録が行われた場合、登録部８ｂは、エレベータ制御装置４から、登録完了の旨の通知を受信する。すると、切替部８ａは、記憶部７の登録階画面データｄ１を参照して、新規な登録階（３０階）を含む最新の登録階画面Ｓ２をディスプレイ装置６に表示する（１０１）。これにより、最新の登録階画面Ｓ２の全階一覧中の３０階が赤色で表示されることとなる。
以上説明したように、エレベータの呼び登録装置１，２では、マイコン８は、操作画面Ｓ３と、操作画面Ｓ３に対する操作により指定されてエレベータ制御装置４に登録された行先階を表示するための登録階画面Ｓ２とのいずれか一方を選択的に切り替えてディスプレイ装置６に表示させる。
このため、選択的に切り替えられる登録階画面Ｓ２の全スペースに登録階を表示することが可能となり、より多くの登録階を登録階画面Ｓ２に表示することができる。しかも１台のディスプレイ装置６上で登録階画面Ｓ２と操作画面Ｓ３とを切り替えることが可能となる。
また、操作画面Ｓ３は、テンキーＳ１の操作により行先階が指定可能になっているので、利用者に所望の行先階を自由に指定させることができる。さらに、操作画面Ｓ３の全スペースを利用してテンキーＳ１を大きく表示することができる。
また、マイコン８は、登録階画面Ｓ２および操作画面Ｓ３のいずれか一方をディスプレイ装置６に表示させる際、案内メッセージｄ３もディスプレイ装置６に表示させるようになっている。このため、呼び登録装置１，２を初めて利用する初心者等に対してその操作をサポートすることが可能となる。
【図１】
2005077803.tif 000002
【図２】
2005077803.tif 000003
【図３】
2005077803.tif 000004
【図４】
2005077803.tif 000005
【図５】
2005077803.tif 000006
【国際調査報告】
2005077803.tif 000007
2005077803.tif 000008
2005077803.tif 000009
2005077803.tif 000010